(57)【要約】  【課題】衝突の際に携帯電子端末に加わる衝撃を大幅に緩和することのできる携帯端末保護ケースを提供する。  【解決手段】携帯端末保護ケース１は、携帯電子端末を保護する携帯端末保護ケース１において、携帯電子端末の側面を周回してカバーするフレーム部１３、を備え、フレーム部１３は、その角部に形成された、複数の溝から構成される衝撃吸収部２０を備え、衝撃吸収部２０の溝が変形して衝撃を吸収することで、衝突の際に携帯電子端末へ加わる衝撃を大幅に緩和する。また、衝撃吸収部２０を構成する複数の溝は、フレーム部１３の周回方向にスリット状に順次形成されている溝である。【選択図】図１
2019102984.tif 000002
【特許請求の範囲】
【請求項１】
携帯電子端末を保護する携帯端末保護ケースにおいて、
前記携帯電子端末の側面を周回してカバーするフレーム部、を備え、
前記フレーム部は、その角部に形成された、複数の溝から構成される衝撃吸収部を備えることを特徴とする携帯端末保護ケース。
【請求項２】
前記衝撃吸収部を構成する複数の溝は、前記フレーム部の周回方向にスリット状に順次形成されている溝であることを特徴とする請求項１記載の携帯端末保護ケース。
【請求項３】
前記衝撃吸収部は、前記フレーム部の前面側に位置する第一スリット状溝部と、前記第一スリット状溝部と平行に前記部レーム部の背面側に位置する第二スリット状溝部と、を備えることを特徴とする請求項２記載の携帯端末保護ケース。
【請求項４】
前記前記第一スリット状溝部の溝と、前記第二スリット状溝部の溝とは、前記フレーム部の周回方向において、交互に形成されていることを特徴とする請求項３記載の携帯端末保護ケース。
【請求項５】
前記第一スリット状溝と前記第二スリット溝部の間に挟まれて前記周回方向に延在する、溝の形成されていない緩衝帯を備えることを特徴とする請求項３又は４記載の携帯端末保護ケース。
【請求項６】
前記衝撃吸収部は、表面が膨らんだ膨張部を備えることを特徴とする請求項１乃至５何れか１項記載の携帯端末保護ケース。
【請求項７】
前記フレーム部の角部の前面側及び背面側の表面において、前記衝撃吸収部の内側に隣接して形成された突起部を備えることを特徴とする請求項１乃至５何れか１項記載の携帯端末保護ケース。
【請求項８】
複数の前記溝は、前記フレーム部の外側表面から内側表面まで貫通した溝であることを特徴とする請求項１乃至７何れか１項記載の携帯端末保護ケース。
【発明の詳細な説明】
【技術分野】
【０００１】
本発明は、携帯電子端末を保護する携帯端末保護ケースに関する。
【背景技術】
【０００２】
近年、携帯電話、タブレット、スマートフォン等の携帯自在な小型の携帯電子端末が多数提供されている。一方、携帯電子端末を使用する際に、手が滑って携帯電子端末を落としてしまうケースも多く、落下時の衝撃により、ディスプレイ等が破損したりしている。
【０００３】
このため、携帯電子端末が落下して床等に衝突する際の衝撃を緩和して損傷を防ぐためのスマートフォン保護ケースが多数提供されており、例えば、下記特許文献１，２に開示されている。
【先行技術文献】
【特許文献】
【０００４】
【特許文献１】特開２０１５−１４９６９３号公報
【特許文献２】特開２０１６−１１９０３９号公報
【発明の概要】
【発明が解決しようとする課題】
【０００５】
しかし、スマートフォン保護ケースでスマートフォンをカバーしている場合であっても、コンクリート等の固い地面と強く衝突してしまった場合には、保護ケースで衝撃を吸収しきれず、やはりディスプレイが破損したり、スマートフォンの外装に大きな傷が付いたりしてしまうケースが多い。
【０００６】
本発明は、このような課題に鑑みてなされたものであり、衝突の際に携帯電子端末に加わる衝撃を大幅に緩和することのできる携帯端末保護ケースを提供することを目的とする。
【課題を解決するための手段】
【０００７】
上記課題を解決するために、本発明に係る携帯端末保護ケースは、携帯電子端末を保護する携帯端末保護ケースにおいて、前記携帯電子端末の側面を周回してカバーするフレーム部、を備え、前記フレーム部は、その角部に形成された、複数の溝から構成される衝撃吸収部を備えることを特徴とする。
【発明の効果】
【０００８】
本発明に係る携帯端末保護ケースによれば、衝撃吸収部の溝が変形して衝撃を吸収することで、衝突の際に携帯電子端末へ加わる衝撃を大幅に緩和することができる。
【図面の簡単な説明】
【０００９】
【図１】図１は、本発明の第一実施形態に係るスマートフォン保護ケースの斜視図である。
【図２】図２は、本発明の第一実施形態に係るスマートフォン保護ケースの構成を示す図である。
【図３】図３は、本発明の第一実施形態に係るスマートフォン保護ケースの角部拡大断面図である。
【図４】図４は、本発明の第一実施形態の変形例１に係るスマートフォン保護ケースの角部拡大図である。
【図５】図５は、本発明の第一実施形態の変形例２に係るスマートフォン保護ケースの角部拡大断面図である。
【図６】図６は、本発明の第一実施形態の変形例３に係るスマートフォン保護ケースの角部拡大断面図である。
【図７】図７は、本発明の第二実施形態に係るスマートフォン保護ケースの斜視図である。
【図８】図８は、本発明の第二実施形態に係るスマートフォン保護ケースの構成を示す図である。
【図９】図９は、本発明の第二実施形態の本変形例４に係るスマートフォン保護ケースの斜視図である。
【発明を実施するための形態】
【００１０】
図面を参照しながら本発明の第一実施形態に係るスマートフォン保護ケースについて説明する。図１は、第一実施形態に係るスマートフォン保護ケースの斜視図である。図２は、第一実施形態に係るスマートフォン保護ケースの構成を示す図であり、図２（ａ）は正面図、図２（ｂ）は背面図である。図３は、第一実施形態に係るスマートフォン保護ケースの角部拡大断面図であり、図３（ａ）は、図３（ｃ）のａ−ａ線における断面図、図３（ｂ）は、図３（ｃ）のｂ−ｂ線における断面図である。
【００１１】
スマートフォン保護ケース１は、スマートフォンの背面側をカバーする背面板１１と、スマートフォンの側面を周回してカバーするフレーム部１３とを備え、フレーム部１３の背面板１１の反対側の開口からスマートフォンを内部に収容可能であり、全体的に板状の直方体形状である。
【００１２】
なお、本明細書では、スマートフォンの背面側が位置する、スマートフォン保護ケース１の背面板１１側を背面側、スマートフォンの前面側が位置する、スマートフォン保護ケース１の開口側を前面側と称する。
【００１３】
フレーム部１３は、折返し部１４と、衝撃吸収部２０と、小開口３５とを備えている。折返し部１４は、収容されたスマートフォンが外に飛び出すのを防止するために、フレーム部１３の前面側において、内側に突出した部分であり、フレーム部１３の前面側の縁全体に周回して形成されている。
【００１４】
衝撃吸収部２０は、フレーム部１３の前面側に位置する第一スリット状溝部２１と、背面側に位置する第二スリット状溝部２２とを備えており、第一スリット状溝部２１と第二スリット状溝部２２は、周回方向に平行に延在している。
【００１５】
衝撃吸収部２０は、フレーム部１３の4つの角部にそれぞれ設置されており、フレーム部１３の各角部で交差する2つの面に頂角から同じ長さ両側に延在して形成されている。
【００１６】
図３に示すように、スリット状溝部２１，２２の各溝は、その細長い開口がフレーム部１３の周回方向に直交する方向に延在するように、且つ、フレーム部１３を厚み方向に貫通して形成されている。また、スリット状溝部２１，２２の溝は、互いに平行であり、フレーム部１３の周回方向にスリットのように多数列んで順次形成されている。
【００１７】
さらに、第一スリット状溝部２１の溝と、第二スリット状溝部２２の溝とは、周回方向において同じ位置ではなく、周回方向に互いにずれて交互に設置されており、第一スリット状溝部２１と第二スリット状溝部２２との間には、溝の形成されていない、周回方向に延在する緩衝帯２５が形成されている。緩衝帯２５が存在することで、衝撃吸収部２０の強度が確保される。
【００１８】
このような構成の衝撃吸収部２０を備えることで、スマートフォンを収容したスマートフォン保護ケース１が落下してその角部近傍が地面に衝突した際に、スリット状溝部２１，２２の部分が変形することで、衝撃を吸収し、スマートフォン本体の破損等を防ぐことができる。本実施形態では、スリット状溝部２１，２２の溝がフレーム部１３を外側表面から内側表面まで貫通しており、スリット状溝部２１，２２がより変形し易く、衝撃を大幅に緩和することができる。
【００１９】
小開口３５は、スマートフォンの側面に配置されたスイッチやボタン、コネクター、スピーカーの音声出力穴等に対応する位置に、これらをスマートフォン保護ケース１の外部に開放するために形成されている。
【００２０】
以上、スマートフォン保護ケース１の構成について説明したが、スマートフォン保護ケース１は、樹脂材料から形成される。樹脂材料としては、例えば、ポリカーボネート、シリコン樹脂、熱可塑性ポリウレタン（TPU）等を用いることができるが、これに限定されるものではない。もちろん、スマートフォン保護ケース１は、一体形成でも、別々に形成した複数の部品を組み合わせて構成するようにしても良い。
【００２１】
以上、本実施形態について詳細に説明したが、本実施形態によれば、フレーム部１３の4つの角部に、第一スリット状溝部２１及び第二スリット状溝部２２から構成される衝撃吸収部２０を設けることで、落下等によりスマートフォン保護ケース１が他の物体と衝突した際の衝撃をスリット状溝部２１，２２が変形することで大幅に軽減することができ、スマートフォン本体の破損等を防止することができる。
【００２２】
次に、第一実施形態の変形例１について説明する。図４は、本変形例１に係るスマートフォン保護ケースの角部拡大図であり、図４（ａ）は拡大側面図、図４（ｂ）は、拡大正面図を示している。
【００２３】
本変形例１に係るスマートフォン保護ケース２は、突起部４０を備えることを特徴としており、その他の構成は上記第一実施形態と同様であるため、異なる構成を中心に説明する。
【００２４】
突起部４０は、フレーム部１３の表面側の角部近傍において、衝撃吸収部２０に隣接して設置されており、フレーム部１３の表面側の側面に形成された側面突起部４０ａと、フレーム部１３の前面側の表面（折返し部１４の表面）及び背面側の表面に形成された前背面突起部４０ｂとを備えている。
【００２５】
図４に示すように、側面突起部４０ａは、フレーム部１３の各角部において、衝撃吸収部２０の周回方向両側に隣接して、周回方向に所定の長さ延在して形成されており、各角部に2つずつ、合計8つ設置されている。前背面突起部４０ｂは、フレーム部１３の各角部の隅、すなわち、衝撃吸収部２０の内側に隣接して形成されており、各角部に前面側と背面側の2つずつ、合計8つ設置されている。
【００２６】
本変形例１によれば、上記第一実施形態と同様の作用効果を奏すると共に、フレーム部１３の角部近傍の側面及び前背面に突起部４０を備えることで、使用者がスマートフォン保護ケース２を手に持ちやすく、また、スマートフォン保護ケース２が使用者の手から滑り落ちにくくなる。
【００２７】
また、フレーム部１３の前背面に前背面突起部４０ｂが形成されていることで、前背面を下にしてスマートフォン保護ケース２が落下する際に、衝撃吸収部２０に隣接する前背面突起部４０ｂが最初に床面に衝突し易く、衝突の際の衝撃を衝撃吸収部２０で吸収し、スマートフォンが損傷するのを防ぐことができる。
【００２８】
続いて、第一実施形態の変形例２について説明する。図５は、本変形例２に係るスマートフォン保護ケースの角部拡大断面図であり、図５（ａ）は、図５（ｃ）のａ−ａ線における断面図、図５（ｂ）は、図５（ｃ）のｂ−ｂ線における断面図である。
【００２９】
本変形例２に係るスマートフォン保護ケース３は、衝撃吸収部２０’のスリット状溝部２１’，２２’の溝の構造が上記第一実施形態と異なるが、その他の構成は上記第一実施形態と同様であるため、異なる構成を中心に説明する。
【００３０】
上記第一実施形態では、スリット状溝部２１，２２の溝がフレーム部１３を厚み方向に貫通していたが、本変形例２に係るスリット状溝部２１’，２２’の溝は、フレーム部１３を厚み方向に貫通しておらず、外側表面から所定の深さまで形成された溝となっている。すなわち、スリット状溝部２１’，２２’の溝は、フレーム部１３の外側にのみ露出し、内側には露出していない。
【００３１】
本変形例２によれば、上記第一実施形態と同様の作用効果を奏すると共に、スリット状溝部２１’，２２’の溝がフレーム部１３の内側に露出しておらず、フレーム部１３の内側表面には溝がないため、衝撃吸収部２０’の構造が強固となり、破損し難いと共に、溝が貫通しておらず、塵や埃の内部への侵入を防ぐことができる。
【００３２】
続いて、第一実施形態の変形例３について説明する。図６は、本変形例３に係るスマートフォン保護ケースの角部拡大断面図であり、図６（ａ）は、図６（ｃ）のａ−ａ線における断面図、図６（ｂ）は、図６（ｃ）のｂ−ｂ線における断面図である。
【００３３】
本変形例３に係るスマートフォン保護ケース４は、衝撃吸収部２０’’のスリット状溝部２１’’，２２’’の溝の構造が上記第一実施形態と異なるが、その他の構成は上記第一実施形態と同様であるため、異なる構成を中心に説明する。
【００３４】
上記第一実施形態では、スリット状溝部２１，２２の溝がフレーム部１３を厚み方向に貫通していたが、本変形例３に係るスリット状溝部２１’’，２２’’の溝は、フレーム部１３を厚み方向に貫通しておらず、内側表面から所定の深さまで形成された溝となっている。すなわち、スリット状溝部２１’’，２２’’の溝は、内側にのみ露出し、外側には露出していない。
【００３５】
本変形例３によれば、上記第一実施形態と同様の作用効果を奏すると共に、スリット状溝部２１’’，２２’’の溝がフレーム部１３の外側に露出しておらず、フレーム部１３の外側表面には溝がないため、衝撃吸収部２０’’の構造が強固となり、破損し難いと共に、外側からスリット状溝部２１’’，２２’’の溝が見えないため、外観にも優れる。また、溝が貫通しておらず、塵や埃の内部への侵入を防ぐことができる。
【００３６】
続いて、本発明の第二実施形態について説明する。図７は、第二実施形態に係るスマートフォン保護ケースの斜視図である。図８は、第二実施形態に係るスマートフォン保護ケースの構成を示す図であり、図８（ａ）は正面図、図８（ｂ）は側面図である。
【００３７】
第二実施形態に係るスマートフォン保護ケース５は、表面が膨らんだ膨張部３０を備えることを特徴としており、その他の構成は上記第一実施形態と同様であるため、異なる構成を中心に説明し、共通の構成については、同じ番号を付して説明を省略する。
【００３８】
膨張部３０は、フレーム部１３の衝撃吸収部２０の部分に形成されており、フレーム部１３の側面に形成された側面膨張部３０ａと、フレーム部１３の前面側の表面（折返し部１４の表面）及び背面側の表面に形成された前背面膨張部３０ｂとを備えている。
【００３９】
本実施形態によれば、第一実施形態と同様の作用効果を奏すると共に、衝撃吸収部２０の側面に側面膨張部３０ａが形成されていることで、側面を下にしてスマートフォン保護ケース５が落下する際に、側面膨張部３０ａが最初に床面に衝突し易く、衝突の際の衝撃を衝撃吸収部２０で吸収し、スマートフォンが損傷するのを防ぐことができる。
【００４０】
また、衝撃吸収部２０の前背面に前背面膨張部３０ｂが形成されていることで、前背面を下にしてスマートフォン保護ケース５が落下する際に、前背面膨張部３０ｂが最初に床面に衝突し易く、同じく衝突の際の衝撃を衝撃吸収部２０で吸収し、スマートフォンが損傷するのを防ぐことができる。
【００４１】
また、膨張部３０を備えることで、フレーム部１３が4つの角部分において前面側、背面側、側面側に膨らみ、各辺の中央付近がくびれる形状となるため、使用者がスマートフォン保護ケース５を握りやすいと共に、使用者の手からスマートフォン保護ケース５が滑り落ちにくい。
【００４２】
続いて、第二実施形態の変形例４について説明する。図９は、本変形例４に係るスマートフォン保護ケースの斜視図である。本変形例４に係るスマートフォン保護ケース６は、背面板１１’の構成が第二実施形態と異なるが、その他の構成は上記第二実施形態と同様であるため、異なる構成を中心に説明する。
【００４３】
本変形例４に係る背面板１１’は、大きな背面開口が2つ形成されており、長手方向の中央部分に幅方向に延在して2つの背面開口を仕切る仕切部１２が設けられている。本変形例２によれば、上記第二実施形態と同様の作用効果を奏すると共に、背面開口を形成することで、強度を維持しつつスマートフォン保護ケース６の軽量化を実現することができる。
【００４４】
以上、変形例を含めて本発明の実施の形態について説明したが、本発明の実施の形態は、上記実施形態に限定されるものではなく、本発明の主旨を逸脱しない範囲内で種々の変形が可能である。例えば、上記実施形態では、携帯端末であるスマートフォンを保護するケースについて説明したが、保護対象はスマートフォンに限定されず、タブレット、電子辞書端末等、携帯電子端末全般に使用することができる。
【００４５】
また、衝撃吸収部は、全ての角部に設置されていなくても少なくとも角部の1つに設置されていれば良い。また、スリット状溝部の溝の間隔は一定でなく異なっていても良い。また、スリット状溝部の溝は、その細長い開口がフレーム部の周回方向に直交する方向に延在しているが、周回方向に平行や斜めに延在していても良い。
【００４６】
また、衝撃吸収部は、複数の溝から構成されていれば良く、スリット状でなくても良い。例えば、平行でない複数の溝が構成されていても良い。
【符号の説明】
【００４７】
１，２，３，４，５，６  スマートフォン保護ケース
１１  背面板
１２  仕切部
１３  フレーム部
１４  折返し部
２０  衝撃吸収部
２１  第一スリット状溝部
２２  第二スリット状溝部
２５  緩衝帯
３０  膨張部
３５  小開口
４０  突起部
【図１】
2019102984.tif 000003
【図２】
2019102984.tif 000004
【図３】
2019102984.tif 000005
【図４】
2019102984.tif 000006
【図５】
2019102984.tif 000007
【図６】
2019102984.tif 000008
【図７】
2019102984.tif 000009
【図８】
2019102984.tif 000010
【図９】
2019102984.tif 000011
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
携帯電子端末を保護する携帯端末保護ケースにおいて、
前記携帯電子端末の側面を周回してカバーするフレーム部、を備え、
前記フレーム部は、その角部において周回方向にスリット状に順次形成されている複数の溝から構成される衝撃吸収部であって、前記フレーム部の前面側に位置する第一スリット状溝部と、前記第一スリット状溝部と平行に前記フレーム部の背面側に位置する第二スリット状溝部とを有する衝撃吸収部を備え、前記第一スリット状溝部の溝と、前記第二スリット状溝部の溝とは、前記フレーム部の周回方向において、交互に形成されていることを特徴とする携帯端末保護ケース。
【請求項２】
前記第一スリット状溝部と前記第二スリット状溝部の間に挟まれて前記周回方向に延在する、溝の形成されていない緩衝帯を備えることを特徴とする請求項１記載の携帯端末保護ケース。
【請求項３】
複数の前記溝は、前記フレーム部の外側表面から内側表面まで貫通した溝であることを特徴とする請求項１又は２記載の携帯端末保護ケース。
【請求項４】
前記衝撃吸収部は、表面が膨らんだ膨張部を備えることを特徴とする請求項１乃至３何れか１項記載の携帯端末保護ケース。
【請求項５】
前記フレーム部の角部の前面側及び背面側の表面において、前記衝撃吸収部の内側に隣接して形成された突起部を備えることを特徴とする請求項１乃至３何れか１項記載の携帯端末保護ケース。
【手続補正２】
【補正対象書類名】明細書
【補正対象項目名】０００７
【補正方法】変更
【補正の内容】
【０００７】
上記課題を解決するために、本発明に係る携帯端末保護ケースは、携帯電子端末を保護する携帯端末保護ケースにおいて、前記携帯電子端末の側面を周回してカバーするフレーム部、を備え、前記フレーム部は、その角部において周回方向にスリット状に順次形成されている複数の溝から構成される衝撃吸収部であって、前記フレーム部の前面側に位置する第一スリット状溝部と、前記第一スリット状溝部と平行に前記フレーム部の背面側に位置する第二スリット状溝部とを有する衝撃吸収部を備え、前記第一スリット状溝部の溝と、前記第二スリット状溝部の溝とは、前記フレーム部の周回方向において、交互に形成されていることを特徴とする。